(57)【要約】【課題】ねじ等の固定用部品を使用せずに、十分な強度を確保できる取っ手構成の空気調和機の室外機を提供する。【解決手段】本体の側板に運搬用の取っ手を設けてなる空気調和機の室外機において、取っ手９の当接面９ａに突起９ｈを設け、室外機の本体１の左側板２および右側板３の、突起９ｈと嵌合する位置に穴１３を設け、取っ手９をスライドして室外機の左側板２および右側板３に取り付けた時に、突起９ｈが穴１３と嵌合する構成とする。【選択図】図１
2006284043.tif 000002
【特許請求の範囲】
【請求項１】
本体の側板に運搬用の取っ手を設けてなる空気調和機の室外機において、前記側板には、前記取っ手を装着するための開口部と、その開口部には、前記取っ手と係合するための舌片を設け、前記取っ手は、前記側板と接する当接面を有し、前記当接面には、前記舌片と係合するための係合片を有する構成とし、前記当接面に突起を設け、前記側板に前記突起に嵌合する穴を設けたことを特徴とする空気調和機の室外機。
【請求項２】
前記突起の断面形状が、前記当接面から略垂直に延出する面と、前記当接面から延出し、前記当接面に対して鈍角を成す斜面を有することを特徴とする請求項１に記載の空気調和機の室外機。
【発明の詳細な説明】
【技術分野】
【０００１】
本発明は、空気調和機の室外機に係り、特に室外機の取っ手に関するものである。
【背景技術】
【０００２】
従来、室内機と室外機を銅管で接続してなる分離型空気調和機において、室外機を構成する側板に運搬用の取っ手をねじで固着するものがあった（例えば、特許文献１参照）。
【０００３】
図４は、従来の空気調和機の室外機の構成を示す図である。
【０００４】
室外機の本体１の外箱は、左側面を覆う左側板２、右側面を覆う右側板３、前面を覆う前面カバー４、天面を覆う天板５で構成されている。左側板２は金属板で製作され全面に吸気のための吸気口８が配設されており、前面カバー４に排気口１４が配設されている。室外機の本体１の内部には圧縮機６および略Ｌ字形状の熱交換器７が配設されている。また室外機の本体１の運搬用の取っ手９が左側板２および右側板３の略中央上部に配設されている。
【０００５】
次に取っ手９の構成について説明する。なお取っ手９は、左側板２および右側板３に一対で配設されているが、説明を簡略化するために左側板２に配設している取っ手９の構成について説明する。
【０００６】
図５は従来の取っ手９の構成を示す要部詳細図、図６は図４のｂ−ｂ断面図である。
【０００７】
左側板２の中央上部には開口部８ａと開口部８ｂが設けられている。また開口部８ａの上縁から開口内方に向けて複数の舌片８ｃ、開口部８ｂの下縁から開口内方に向けて舌片８ｃの対向する位置に舌片８ｄがそれぞれ延出している。開口部８ａと開口部８ｂの境界部には、補強桟８ｅを設け、補強桟８ｅの下縁からほぼ鉛直で外側方向に補強曲げ８ｆが延出している。
【０００８】
また補強桟８ｅの左方に取っ手９を固定するためのねじ穴１０を設けている。
【０００９】
取っ手９は樹脂成形品で製作され、左側板２に当接する略長方形状の当接面９ａを有し、当接面９ａに、外側方向に凸形状の運搬用の指掛け部９ｄを設け、指掛け部９ｄに、吸気のためのスリット９ｇが配設されている。
【００１０】
また左側板２に設けた舌片８ｃおよび舌片８ｄに相対して位置し、舌片８ｃおよび舌片８ｄに係合する係合片９ｂ、係合片９ｃを、当接面９ａより延出して設けている。
【００１１】
また当接面９ａ上のねじ穴１０に相対する位置にねじ穴９ｆを設ける。なお取っ手９に設けた係合片９ｂおよび９ｃの幅寸法Ｌ２は、左側板２に設けた舌片８ｃおよび舌片８ｄの舌片間隙寸法Ｌ３より僅かに小さい寸法としている。
【００１２】
手指１２の第２関節まで指を掛けることができる寸法Ｌ４を確保するために、指先が収容できる収容部９ｅを設ける。
【００１３】
また取っ手９を左側板２に取り付けた際に、開口部８ｂに収容部９ｅが収まり、補強曲げ８ｆと指掛け部９ｄが接触状態で配置される。
【００１４】
次に、取っ手９を左側板２に取り付ける方法について説明する。
【００１５】
左側板２に設けている舌片８ｃおよび舌片８ｄが取っ手９の係合片９ｂおよび係合片９ｃと係合する位置よりも、舌片８ｃおよび舌片８ｄのピッチ寸法Ｐ１の半分の寸法Ｐ２だけ左にずらして、取っ手９の当接面９ａを左側板２に密着するように押し当てる。
【００１６】
押し当てた後、右方向に寸法Ｐ２だけスライドすることにより、左側板２に設けた舌片８ｃおよび舌片８ｄが、取っ手９に設けた係合片９ｂおよび係合片９ｃとそれぞれ係合する。最後に、取っ手９が左右にずれないように、ねじ１１で締め付ける。
【００１７】
上記構成の室外機を運搬する際には、図６に示すように、運搬作業者は左右の取っ手９の指掛け部９ｄおよび収容部９ｅに手指１２を掛けて室外機を持ち上げ運搬する。
【特許文献１】特開２００１−２０８３７７号公報
【発明の開示】
【発明が解決しようとする課題】
【００１８】
しかしながら、上記従来の室外機において、取っ手を取り付ける際には、室外機の側板にスライドして装着したあと、取っ手が左右にずれないようにねじで締め付けなければならない。そのためねじ部品が増え、ねじを締め付ける工数が発生するという課題を有していた。
【００１９】
本発明は、上記従来の課題を解決するもので、ねじ等の固定用部品を使用せずに取り付けることができる取っ手を有する空気調和機の室外機を提供することを目的とする。
【課題を解決するための手段】
【００２０】
上記課題を解決するために、本発明は、取っ手の当接面に突起を設け、室外機の側板上に、前記突起と嵌合する穴を設け、取っ手をスライドして室外機の側板に取り付けた時に、前記突起が前記穴と嵌合する構成としたものである。
【００２１】
この構成によって、ねじ等の固定用部品で止めることなく、取っ手がスライドして室外機の側板から外れることを防止する。
【発明の効果】
【００２２】
本発明の空気調和機の室外機は、取っ手を取り付けるためのねじ等の固定用部品、およびねじ等の固定用部品を取り付ける工数を削減することができる。
【発明を実施するための最良の形態】
【００２３】
第１の発明は、室外機の本体の側板に、運搬用の取っ手を設けてなる空気調和機の室外機において、前記側板に前記取っ手を装着するための開口部を有し、前記開口部は、前記取っ手を係合するための舌片を有し、前記取っ手は、前記側板と密着する当接面を有し、前記当接面は、前記開口部に設けた舌片と係合するための係合片および外側方向に凸形状の指掛け部を有する構成とし、前記当接面に突起を設け、前記側板上に穴を設けることで、前記取っ手を左もしくは右にスライドして前記側板に取り付ける際に、前記突起が前記穴と嵌合するため、前記取っ手がスライドして外れるのを防止することができる。その結果ねじ等の固定用部品を使用せずに、取っ手を室外機の側板に取り付けることができる。
【００２４】
第２の発明は、第１の発明の突起の横断面形状を形成する面が、前記当接面から略垂直に延出する面と、前記当接面から延出し、前記当接面に対して鈍角を成す斜面を有し、さらに当接面から略垂直に延出する面と斜面のうち、前記当接面から略垂直に延出する面が、スライド方向の上流側に位置することで、円滑に取り付け時のスライドができ、突起が
略垂直の面を有することで、確実に係合するため、前記取っ手がスライドして外れるのを防止することができる。その結果、ねじ等の固定用部品を使用せずに、取っ手を室外機の側板に取り付けることができる。
【００２５】
以下、本発明の実施の形態について、図面を参照しながら説明する。なおこの実施の形態によって本発明が限定されるものではなく、前面カバーに同じ構成を設けることでも、同じ効果を奏する。
【００２６】
（実施の形態１）
本発明の第１の実施の形態における空気調和機の室外機の構成は、従来例と同様であるので、同一符号を付してその説明を省略する。
【００２７】
図１は、実施の形態１における室外機の要部詳細図である。なお上記従来例と同一部分については同一符号を付してその説明を省略する。また取っ手９は、左側板２および右側板３に一対で配設されているが、説明を簡略化するために左側板２に配設する取っ手９の構成について説明する。
【００２８】
室外機の左側板２に設けている補強桟８ｅの左方に穴１３を設ける。また取っ手９が左側板２に取り付けられた際に、穴１３と係合する突起９ｈを当接面９ａ上に設ける。
【００２９】
次に取っ手９の突起９ｈの形状について説明する。
【００３０】
図２は、図１のａ−ａ断面図である。
【００３１】
突起９ｈの横断面形状は、当接面９ａから略垂直に延出している垂直面９ｊと、当接面９ａから延出して当接面９ａと鈍角を形成している斜面９ｉを含んだ構成とする。
【００３２】
次に取っ手９の取り付け過程における突起９ｈの状態について説明する。なお取り付け方法は従来例と同様であるので説明を省略する。
【００３３】
図３（ａ）は、本発明の取っ手の取り付け途中を示した図であり、図３（ｂ）は、本発明の取っ手の取り付け完了を示した図である。なお矢印は取っ手のスライド方向を示している。
【００３４】
取っ手９を側板に取り付ける過程において、取っ手９の当接面９ａを、左側板２に密着するように押し当てると当接面９ａが弾性変形する。そして取っ手９を、右方向に寸法Ｐ２だけスライドすることにより、左側板２に設けた舌片８ｃおよび舌片８ｄが、取っ手９に設けた係合片９ｂおよび係合片９ｃにそれぞれ係合し、突起９ｈが穴１３に嵌合する。
【００３５】
上記構成とすることで、斜面９ｉが取り付け時のスライドを円滑にし、垂直面９ｊが穴１３と確実に係合するため、取っ手が取り付け時の逆方向にスライドして外れるのを防止し、取っ手９を左側板２に取り付けることができる。
【産業上の利用可能性】
【００３６】
以上のように、本発明に係る空気調和機の室外機は、取っ手を取り付けるためにねじ等の固定用部品を使用することなく、さらにねじ等の固定用部品を取り付けるための工数を削減することができる。そのため、空気調和機の室外機だけに限らず、ねじ等の固定用部品を使用して運搬用の取っ手を取り付ける必要がある各種機器や装置などの用途にも適用できる。また運搬用の取っ手だけではなく、ねじ等の固定用部品を使用して、機器構成部品と機器構成部品の取り付けを実現している各種機器や装置などにも、本発明と同じ構成
とすることで、ねじ等の固定用部品を使用することなく取り付けが可能となる。
【図面の簡単な説明】
【００３７】
【図１】本発明の実施の形態１における室外機の要部詳細図
【図２】図１のａ−ａ断面図
【図３】（ａ）本発明の取っ手の取り付け途中図、（ｂ）本発明の取っ手の取り付け完了図
【図４】従来の室外機の斜視図
【図５】従来の取っ手の要部詳細図
【図６】図４のｂ−ｂ断面図
【符号の説明】
【００３８】
１  本体
２  左側板
３  右側板
８ａ、８ｂ  開口部
８ｃ、８ｄ  舌片
９  取っ手
９ａ  当接面
９ｂ、９ｃ  係合片
９ｄ  指掛け部
９ｈ  突起
９ｉ  斜面
９ｊ  垂直面
１０  ねじ穴
１１  ねじ
１３  穴
【図１】
2006284043.tif 000003
【図２】
2006284043.tif 000004
【図３】
2006284043.tif 000005
【図４】
2006284043.tif 000006
【図５】
2006284043.tif 000007
【図６】
2006284043.tif 000008